(57)【要約】【課題】  発呼側を確認することの可能な情報を適切なタイミングで出力する。【解決手段】    発信者番号を正常に受信した場合（１０８；Ｙ）、受信した発信者番号を記憶し（１１１）、交換機から呼出し信号を受信したか否か判断し（１２２）、呼出信号を受信した場合（１２２；Ｙ）、発信者番号を表示する（１２６）。発信者番号を正常に受信しなかった場合（１０８；Ｎ）、発信者番号を正常に受信しなかった旨の情報を記憶し（１１３）、交換機から呼出し信号を受信したか否か判断し（１２２）、呼出信号を受信した場合（１２２；Ｎ）、発信者番号を正常に受信しなかった旨の情報を表示する（１２６）。【選択図】        図３
2005295595.tif 000002
【特許請求の範囲】
【請求項１】
発呼側との通信に先立ち、該発呼側を確認することの可能な情報としての電話番号と、付加情報としての発信者名とを受信する受信手段と、
前記電話番号と前記発信者名とを受信し、さらに交換機から呼出動作があった場合に、前記受信した前記電話番号と前記発信者名とを出力する出力手段と、
を備えた通信端末装置。
【請求項２】
前記受信した電話番号により確認される発呼側が通信許可されているか否かを判断する通信許可判断手段を更に備えることを特徴とする請求項１記載の通信端末装置。
【請求項３】
前記出力手段は、前記電話番号が受信されなかった場合に、前記電話番号が正常に受信されなかった旨の情報を出力することを特徴とする請求項１又は請求項２記載の通信端末装置。
【請求項４】
前記出力手段は、前記電話番号が受信されなかった場合に、前記電話番号が正常に受信されなかった理由情報を出力することを特徴とする請求項１又は請求項２記載の通信端末装置。
【発明の詳細な説明】
【技術分野】
【０００１】
本発明は、通信端末装置に係り、より詳しくは、発呼側との通信に先立ち、該発呼側を確認することの可能な情報を受信する通信端末装置に関する。
【背景技術】
【０００２】
従来、発呼側との通信に先立ち、該発呼側の電話番号を交換機から受信すると共に受信した電話番号を表示する通信端末が提案されている（特許文献１〜４）。
【０００３】
これらの公報には、受信した電話番号を表示するタイミングを明確に記載されていない。よって、例えば、受信した電話番号を、受信した直後に表示することも考えられる。
【０００４】
一方、電話番号の受信の後には通常、交換機から呼出信号を受信するが、電話番号を送信した後に、発呼側が呼出信号の送信を中止する場合や、何らかの異常が発生等して呼出信号を受信できなった場合、即ち、発呼側との回線が接続されない場合がある。
【０００５】
よって、発呼側との回線が接続されない場合でも電話番号が表示される。従って、電話番号が表示されるとオペレータは、該電話番号により特定される発呼側から着信があると判断して、待機等するにもかかわらず、着信がないので、オペレータが混乱する。即ち、受信した電話番号を表示するタイミングが適切でない。
【特許文献１】特開昭５６−１１７４５９号公報
【特許文献２】特開昭６１−４９５４５号公報
【特許文献３】特開昭６２−２４３４５２号公報
【特許文献４】特開昭６４−８９６４１号公報
【発明の開示】
【発明が解決しようとする課題】
【０００６】
本発明は、上記事実に鑑み成されたもので、発呼側を確認することの可能な情報を適切なタイミングで出力することの可能な通信端末装置を提供することを目的とする。
【課題を解決するための手段】
【０００７】
上記目的を達成するために請求項１に記載の発明は、発呼側との通信に先立ち、該発呼側を確認することの可能な情報としての電話番号と、付加情報としての発信者名とを受信する受信手段と、前記電話番号と前記発信者名とを受信し、さらに交換機から呼出動作があった場合に、前記受信した前記電話番号と前記発信者名とを出力する出力手段と、を備えている。
【０００８】
即ち、受信手段は、発呼側との通信に先立ち、該発呼側を確認することの可能な情報としての電話番号と、付加情報としての発信者名とを受信する。
【０００９】
出力手段は、前記電話番号と前記発信者名とを受信し、さらに交換機から呼出動作があった場合に、前記受信した前記電話番号と前記発信者名とを出力する。
【００１０】
このように、発呼側との通信に先立ち、該発呼側を確認することの可能な情報としての電話番号、付加情報としての発信者名とを受信し、さらに交換機から呼出動作があった場合に、受信した電話番号と発信者名とを出力するので、発呼側が通信を中止した場合や通信トラブル等が発生した場合には上記電話番号等は出力されず、発呼側と通信する場合には上記電話番号等が出力される。よって、発呼側と通信する場合に上記情報が出力されるので、オペレータが混乱することがない。
【００１１】
請求項２記載の発明は、請求項１記載の発明において、前記受信した電話番号により確認される発呼側が通信許可されているか否かを判断する通信許可判断手段を更に備えることを特徴とする。
【００１２】
前記出力手段は、請求項３のように、前記電話番号が受信されなかった場合に、前記電話番号が正常に受信されなかった旨の情報を出力したり、請求項４のように、前記電話番号が受信されなかった場合に、前記電話番号が正常に受信されなかった理由情報を出力する。
【発明の効果】
【００１３】
以上説明したように本発明によれば、発呼側との通信に先立ち、該発呼側を確認することの可能な情報としての電話番号、付加情報としての発信者名とを受信し、さらに交換機から呼出動作があった場合に、受信した電話番号と発信者名とを出力するので、発呼側が通信を中止した場合や通信トラブル等が発生した場合には上記電話番号等は出力されず、発呼側と通信する場合には上記電話番号等が出力され、発呼側と通信する場合に上記情報が出力されるので、オペレータが混乱することがない、という効果がある。
【発明を実施するための最良の形態】
【００１４】
以下、本発明の実施の形態を図面を参照して詳細に説明する。
【００１５】
本形態の通信端末装置に係るファクシミリ装置は、図１に示すように、  ＣＰＵ（中央処理装置（Central Processing Unit ））１２、ＲＯＭ１４、ＲＡＭ（１）１６、ＲＴＣ（Real Time Clock （時計））１８、Ｋｅｙｂｏａｒｄ（キーボード）２０、Ｄｉｓｐｌａｙ（表示装置）２２、ＮＣＵ（Network Control Unit  回線制御装置）２４、Ｍｏｄｅｍ（変復調装置）２６、ＲＡＭ（２）２８、Ｃｏｄｅｒ（符号化装置）／Ｄｅｃｏｄｅｒ（複合化装置）３０、ＲＡＭ（３）３２、Ｓｃａｎｎｅｒ（読み取り装置）３４、及びＰｒｉｎｔｅｒ（プリンタ）３６がバスを介して相互に接続されて構成されている。
【００１６】
ＣＰＵ（Ｃｅｎｔｒａｌ  Ｐｒｏｃｅｓｓｉｎｇ  Ｕｎｉｔ）１２が、全ての装置を動作を制御する。その制御は、ＲＯＭ１４に予め設定されたプログラム（ソフトウェア）を順次読み出し、そのプログラムに従い実施される。ＲＡＭ（１）１６は、その制御に関する各種情報（カウンタ、フラグ、データなど）の一時記憶に使用される。ＲＴＣ１８は、現在時刻の通知、タイマーとして使用される。Ｋｅｙｂｏａｒｄ２０、Ｄｉｓｐｌａｙ２２は、ユーザインタフェース装置であり、オペレータ（操作者）とのインターフェースを司るものであり、この装置２０、２２により、オペレータと機械（この場合はファクシミリ装置）とのやりとりが行なわれる。
【００１７】
次いで、装置内のデータの流れを説明する。
【００１８】
送信の場合、Ｓｃａｎｎｅｒ３４により原稿を読み取り、イメージ情報として、一旦、ＲＡＭ（３）３２に蓄積される。その後、Ｃｏｄｅｒ３０により、イメージ情報を圧縮し、符号化情報としてＲＡＭ（２）２８に蓄積される。符号化情報は、通信制御装置を経由して、リモート装置に送信される。網（ネットワーク）がＰＳＴＮ等であれば、通信網制御装置とはＮＣＵ２４やＭｏｄｅｍ２６にあたる。
【００１９】
受信の場合、リモート装置から送られてきたデータは、通信網制御装置を経由して、ＲＡＭ（２）２８蓄積される。次いで、Ｒｅｃｏｒｄｅｒ３０により伸長し、イメージ情報として、ＲＡＭ（３）３２に蓄積され、Ｐｒｉｎｔｅｒ（記録装置）３６により印字される。
【００２０】
前記例では、送受信した場合のデータの流れについて説明したが、勿論、リモート装置との通信を行わず、例えば、スキャナにより読み取ったイメージ情報を、いったん蓄積し、プリンタに出力する（コピー機能に相当する）こともある。
【００２１】
次に、本シーケンスを説明する。
【００２２】
まず、発呼側の呼出動作（ダイヤリング）に従い、通信端末装置を特定した交換機は、通信端末装置に対して、極性の反転を行なった後（ａ）、０．１〔秒〕以上の所定時間経過したとき、ＩＤ通信端末起動信号（ＣＡＲ：１５〜２０Ｈｚ、０．５秒ＯＮ／ＯＦＦ）を送出する（ｂ）。
【００２３】
ＩＤ通信端末起動信号を検知した通信端末装置は、回線を接続（直流ループを形成）する。（一次応答信号を送出する）
交換機は、極性の反転を行ってから６〔秒〕以内に通信端末装置からの一次応答信号を受信した場合、ＩＴＵ−Ｔ勧告Ｖ．２３に準拠した信号により、発信者番号（発ＩＤ（ファクシミリ番号））を送信する（ｄ）。
【００２４】
発信者番号を受信した通信端末装置は、受信するか（着信を受け付けるか）どうかの判定を行なった後、受信すると判定した場合、直ぐに回線を解放（直流ループを断）する（受信完了信号を送出する）（ｅ）。
【００２５】
交換機は、発信者番号を送信したときから７［秒］以内に受信完了信号を受信した場合、呼出信号（ＩＲ：１５〜２０Ｈｚ、１秒ＯＮ、２秒ＯＦＦ）を送出する（ｆ）。
【００２６】
これ以降のシーケンスは、通常の着信動作と同じである（ｇ，ｈ，ｉ）。（応答する場合には、回線を接続（直流ループを形成）し、通信を開始する。）  図３には、ファクシミリ装置１００に着信があった場合に実行する制御ルーチンが示され、ステップ１０２で、交換機２００からのＩＤ通信端末起動信号（呼出信号）を受信したか否かを判断する。ＩＤ通信端末起動信号（呼出信号）を受信した場合（ｂ）に、ステップ１０４で、回線を接続し（一次応答信号を送出し：ｃ）、ステップ１０６で、Ｍｏｄｅｍ信号（発信者番号信号）を受信する（ｄ）。
【００２７】
ステップ１０８で、Ｍｏｄｅｍ信号が正常に受信できたかどうかを判定し、正常に受信できた場合には、ステップ１１１で、発信者番号を一旦ＲＡＭ（１）１６に記憶する。
【００２８】
一方、Ｍｏｄｅｍ信号が正常に受信できなかった場合には、ステップ１１３で、Ｍｏｄｅｍ信号が正常に受信されなかった旨の情報を記憶する。即ち、Ｍｏｄｅｍ信号が正常に受信できなかった態様に応じたコード、メッセージを一旦ＲＡＭ（１）１６に記憶する。
【００２９】
ここで、Ｍｏｄｅｍ信号が正常に受信できない態様には次のものがある。
【００３０】
即ち、該Ｍｏｄｅｍ信号を受信できない障害が発生した場合、発信者番号信号を送信できない理由を受信した場合、ＳＴＸ受信後にＥＴＸを受信できない場合、ＣＲＣのフレームエラーが発生した場合等が考えられる。
【００３１】
なお、発信者番号信号を送信できない理由には、発信者が自分の番号の通知を許可しない手続きをしたため通知できないこと（発信者拒否：Ｐ）、発信電話番号が通知されない詳細理由を通知できないこと（網が通知できない：Ｏ）、及び公衆電話からの発信であるため通知できないこと（公衆電話：Ｃ）等がある。
【００３２】
よって、ステップ１１３では、上記態様の内容を記憶したり、上記コード（Ｐ、Ｏ、Ｃ等）を記憶したり、してもよい。
【００３３】
次のステップ１２０で、タイマを起動し、規定時間内に交換機からの呼出信号を受信するかどうかを判断する（ステップ１２２、１２４）。
【００３４】
規定時間内に呼出信号を受信した場合には、ステップ１２６で、先に記憶しておいた発信者番号、又は、上記態様の内容や上記コード（Ｐ、Ｏ、Ｃ等）を表示（記録）する。
【００３５】
即ち、発信者番号を正常に受信した場合には、発信者番号を表示等する。このように、Ｍｏｄｅｍ信号を正常に受信し、かつ、呼出信号を受信した場合に、発信者番号を表示しているので、発呼側と通信する場合に発信者番号を表示等するので、オペレータが混乱することがない。
【００３６】
一方、発信者番号が正常に受信されなかった場合には、上記態様の内容をメッセージの形式でそのまま表示等してもよく、上記コード（Ｐ、Ｏ、Ｃ等）のみを表示等してもよく、何らかのマークを表示等してもよい。
【００３７】
このように、発信者番号が正常に受信されなかった場合には、発信者番号を正常に受信されなかった旨の情報を表示するので、オペレータは発信者番号が出力されなかった原因を認識することができるので、混乱することがない。
【００３８】
そして、ステップ１２８で、次の処理（実際の受信処理）に移行する。
【００３９】
規定時間に呼出信号が受信できなければ（タイムアウトしたならば）、先に記憶しておいて発信者番号や表示情報をキャンセルし、動作を終了する。
【００４０】
以上説明したように本形態では、発信者番号信号を受信し、かつ、交換機から呼出信号を受信した場合に、発信者番号を出力するので、発呼側が通信を中止した場合や通信トラブル等が発生した場合には発信者番号が表示等されず、発呼側と通信する場合に発信者番号が出力される。
【００４１】
よって、発呼側と通信する場合に発信者番号が出力されるので、オペレータが混乱することがない。
【００４２】
次に、本形態の変形例を説明する。なお、本変形例は、前述した実施の形態と同一の構成となっているので、その説明を省略する。また、本変形例の制御ルーチンは、図４に示すように、前述した実施の形態の制御ルーチン（図３参照）を同一の作用部分があるので、同一の作用部分には同一の符号を付してその説明を省略し、異なる部分のみ説明する。
【００４３】
交換機からＭｏｄｅｍ信号が正常に受信できた場合には（Ｓ１０８；Ｙ）、Ｓ１１０で、短縮ダイヤルなどの宛先情報を読み出し、一致する番号があるかどうかを調べ、一致するものがあれば、Ｓ１１２で、その番号を受け付けるかどうかを判定する。
【００４４】
ここで、受け付ける場合には、上記受信した発信者番号が、通信が許可されている発信者の番号と一致する又は通信が許可されていない発信者の番号と一致しない場合があり、この場合には、ステップ１１１に進む。
【００４５】
また、正常に受信できなかった場合（Ｓ１０８；Ｎ）には、Ｓ１１６で、受け付けるかどうかを判定する。即ち、正常に受信できなかった場合でも、通信を行うように予め設定しておき、本ステップ１１６では、当該設定がされているか否かを判断する。受け付ける場合（Ｓ１１６；Ｙ）のみ、Ｓ１１３に進む。
【００４６】
なお、以上説明した実施の形態では、発信者番号を表示、印刷しているが、本発明はこれに限定されるものでなく、スピーカ等から音声出力するようにしてもよい。
【００４７】
また、前述した実施の形態では、ファクシミリ装置を例に取り説明したが、本発明はこれに限定されるものでなく、電話機、通信機能を有する端末装置等に適用してもよい。なお、電話機の場合には、上記ファクシミリ番号の代わりに、電話番号の情報を受信するようにしてもよい。更に、電話やファクシミリ装置を契約している者( 発信者）の氏名等の情報を受信するようにしてもよい。
【図面の簡単な説明】
【００４８】
【図１】本実施の形態に係るファクシミリ装置のブロック図である。
【図２】上記ファクシミリ装置と交換機との間の接続動作シーケンスを示した図である。
【図３】上記ファクシミリ装置の制御ルーチンを示すフローチャートである。
【図４】変形列に係るファクシミリ装置の制御ルーチンを示すフローチャートである。
【符号の説明】
【００４９】
１００      ファクシミリ装置（通信端末装置）
２００      交換機
【図１】
2005295595.tif 000003
【図２】
2005295595.tif 000004
【図３】
2005295595.tif 000005
【図４】
2005295595.tif 000006